Podtech/llm-jp-corpus-v4-ja_patent huggingface dataset:
(57)【要約】【課題】スーパーマーケットなどのかごに装着しやすく、購入した商品をかごから詰め替える手間を不要とし、商品をすばやく収納することができ、体裁もよい買い物袋を提供する。【解決手段】シートを素材とし、前記シートに開口部１５を有する錐状に形成した布１１と、開口部１５を開閉自在に係合する固定具１２と、固定具１２を用いて開口部１５を閉じて布１１を袋状にしたときに吊り下げ保持することができる保持部１３とを、備えている。【選択図】図１
0003131792.tif 000002
【実用新案登録請求の範囲】
【請求項１】
シートを素材とし、前記シートに開口部を有する錐状に形成した布と、
前記開口部を開閉自在に係合する固定具と、
前記固定具を用いて前記開口部を閉じて前記布を袋状にしたときに吊り下げ保持することができる保持部とを、備えていることを特徴とする買い物袋。
【請求項２】
請求項１に記載の買い物袋において、
前記固定具を用いて前記開口部を開いて前記布を錐状に形成したときに前記布を折りたたみ前記布を結束する結束部をさらに備えていることを特徴とする買い物袋。
【考案の詳細な説明】
【技術分野】
【０００１】本考案は、購入した商品を持ち運ぶのに用いるための買い物袋に関する。
【背景技術】
【０００２】スーパーマーケットなどで買い物をすると、会計を済ませた後に、かごに入っている商品をポリ袋に入れ替えて持ち帰るのが一般的であった。ところが、かごの中の商品をポリ袋に詰め替えるのは面倒であり、混雑しているような場合には、詰め替える場所を確保するのも大変であった。そこで、実用新案文献１に開示されているように会計後にかごから商品を詰め替える必要のない買い物袋が提案されている。【０００３】しかしながら、実用新案文献１に開示されている買い物袋では、固定具をあらかじめ外しておいてから、商品を入れ、商品を入れた後に固定具を固定して使用する構成および使用方法なので、面倒であった。しかも、持ち手部を結束して縛り付ける構成なので、持ち運び時における体裁もよいとはいえない。【０００４】
【実用新案文献１】
登録実用新案第３１１５７９４号
【考案の開示】
【考案が解決しようとする課題】
【０００５】本考案が解決しようとする課題は、スーパーマーケットなどのかごに装着しやすく、購入した商品をかごから詰め替える手間を不要とし、商品をすばやく収納することができ、体裁もよい買い物袋を提供することにある。
【課題を解決するための手段】
【０００６】本考案の買い物袋は、シートを素材とし、前記シートに開口部を有する錐状に形成した布と、前記開口部を開閉自在に係合する固定具と、前記固定具を用いて前記開口部を閉じて前記布を袋状にしたときに吊り下げ保持することができる保持部とを、備えていることを特徴とする。【０００７】この考案によれば、買い物袋をレジのかごにセットして品物をレジで入れれば、レジ終了後に品物を入れ替える必要がなくなり、商品をすばやく収納することができる。買い物袋に商品を入れた後に開閉自在の固定具を閉じることで、商品が紛失することを抑制することができ、しかも体裁のよい買い物袋を提供できる。【０００８】本考案の買い物は、前記固定具を用いて前記開口部を開いて前記布を錐状に形成したときに前記布を折りたたみ前記布を結束する結束部をさらに備えていることが望ましい。【０００９】この考案によれば、買い物袋に結束部を備えているから、買い物袋を使わないときにはカートに吊り下げることが可能な買い物袋を提供できる。
【考案を実施するための最良の形態】
【００１０】以下、本考案の実施例を図面に基づいて説明する。【００１１】図１は、本考案の買い物袋を示す概略図である。図１に示すように、買い物袋１は、合成樹脂シートや、天然素材によるシートなどの軽くて耐久性のあるシートを素材としている。買い物袋１は、布１１と、固定具１２と、保持部１３と、結束部１４と、開口部１５と、スナップ１６とで構成されている。【００１２】布１１には、外周部２１から中央部２２に向けて切り込み部２３が形成されており、この切り込み部２３を縫合することで縫合部２４が形成できる。すると、布１１は、外周部２１から中央部２２に向かって円錐状に形成される。円錐状に形成された布１１は、商品の出し入れを容易にすることができるように形成されている。なお、布１１の形状は、円錐状にこだわることはなく、角錐状でもかまわない。このように布１１を錐状にすれば、商品の出し入れには好都合である。また、縫合部２４は付いていなくてもかまわない。例えば布１１が一体で成形されているような構成になっていてもよい。このようにすれば、縫合をする必要がなくなるので、より、製造コストを低減することができる。なお、布１１は、スーパーマーケットなどで使用される標準的なかご５より大きく形成されており、かご５をすっぽり包むことができる。また、布１１には、スナップ１６が配置されており（この場合、３箇所）、このスナップ１６を用いることで、簡単に開口部１５を開閉できるように構成されている。【００１３】固定具１２は、布１１の開口部１５付近の外周部２１に固定されている。固定具１２は、一般的にはファスナーであり、開口部１５全域を封止し、開いたり閉じたりできるように開閉自在に係合されている。【００１４】保持部１３は、布１１に固定されている。外周部２１の円周において、９０度おきに保持部１３は、配置されており、ここでは３個所ある。そして、対向する２箇所の保持部１３を持てば、買い物袋１を持ち上げることができるように構成されている。残された保持部１３は、カートのフックに掛けることができるようになっている。【００１５】結束部１４は、残された保持部１３に結束できるように配置されており、買い物袋１を折りたたんだときに結束でき、しかも結束部１４をカートに結んでおけるようになっている。【００１６】次に、買い物袋の使用方法について説明する。【００１７】図２は、本考案の買い物袋のかご装着時における斜視図である。図２に示すように、買い物袋１に備えられた固定具１２の係合を外して開口部１５を開いた状態で、買い物袋１をかご５に装着する。このとき、布１１はかご５の大きさより大きいので、かご５の外側に布１１の一部がはみ出すようにセットできる。【００１８】レジではカウントした商品をかご５に装着した買い物袋１の中に入れていく。そして、会計が終了したら、買い物袋１に備えられた固定具１２を係合させて、開口部１５を閉じる。なお、開口部１５を閉じることによって、買い物袋１が傾いたとしても、買い物袋１の中に収納された商品が落下するようなことがない。なお、スナップ１６を用いれば、開口部１５を簡単に封止することもできる。【００１９】次いで、対向する位置に配置された保持部１３どうしを手に持ち、買い物袋１を持ち運ぶ。
【図面の簡単な説明】
【００２０】
【図１】  実施例における買い物袋を示す概略図。
【図２】  実施例における買い物袋のかご装着時における斜視図。
【符号の説明】
【００２１】１…買い物袋、５…かご、１１…布、１２…固定具、１３…保持部、１４…結束部、１５…開口部、１６…スナップ、２１…外周部、２２…中央部、２３…切り込み部、２４…縫合部。
【図１】
0003131792.tif 000003
【図２】
0003131792.tif 000004
(57)【要約】      （修正有）【課題】ファスナーのスライダー部が下前立て部に噛み込まずに円滑に開閉可能にし、且つ、見栄えが良く、丈夫で経済的なファスナー噛み込み防止型衣服を提供する。【解決手段】スライドファスナーの裏面部に重合縫着した下前立ての縁部に、ファスナーのスライダー噛み合せ部の内幅よりやや大きめな外径寸法を有する筒状の紐挿入部を形成し、且つ、紐挿入部に凧紐等の噛み込み防止部材を縫着して設け、ファスナー開閉時にスライダーが下前立て部に噛み込まないようにして設けたる。【選択図】図１
0003131703.tif 000002
【実用新案登録請求の範囲】
【請求項１】
ジャンパーやコートやジャケット等の前開き部に使用するフロントスライドファスナー付衣服において、該衣服はスライドファスナー（Ｆ）の裏面部に重合縫着した下前立て（Ｃａ）の縁部に、ファスナー（Ｆ）のスライダー（Ｆａ）噛み合せ部の内幅よりやや大きめな外径寸法を有する筒状の紐挿入部（Ｃｂ）を形成し、且つ、該紐挿入部（Ｃｂ）に凧紐等の噛み込み防止部材（１）を縫着して設け、ファスナー開閉時にスライダーが下前立て部に噛み込まないようにして設けた事を特徴とするファスナー噛み込み防止型衣服。
【考案の詳細な説明】
【技術分野】
【０００１】
この考案は、ジャンパーやコートやジャケット等のファスナー噛み込み防止型衣服に関するものである。
【背景技術】
【０００２】
従来、ジャンパーやコートやジャケット等の衣服の前開き部に使用するフロントスライドファスナーには、ファスナーの裏面部に下前立てを重合縫着しているが、この下前立て部がファスナー開閉時に、スライダーの噛み合わせ部に噛み込んで生地を破損する等の問題がある。従って、上記問題を解決する為の方策が求められている
【０００３】
これまでに出願されているスライドファスナーの特許文献を参考の為、紹介する。（特許文献１〜２参照。）
【特許文献１】特開２００５−０４０４８５
【特許文献２】特開２００５−０２１６６７
【考案の開示】
【考案が解決しようとする課題】
【０００４】
そこで、上記課題を解決する為に、この考案は、ファスナーのスライダー部が下前立て部に噛み込まずに円滑に開閉可能にし、且つ、見栄えが良く、丈夫で経済的なファスナー噛み込み防止型衣服を開発・提供する事にある。
【課題を解決するための手段】
【０００５】
この課題を解決する為の手段として、スライドファスナーの裏面部に重合縫着した下前立ての縁部に、ファスナーのスライダー噛み合せ部の内幅より、やや大きめな外径寸法を有する筒状の紐挿入部を形成し、且つ、該紐挿入部に凧紐等の噛み込み防止部材を縫着して設け、ファスナー開閉時にスライダーが下前立て部に噛み込まないようにして設けたものである。
【考案の効果】
【０００６】
この考案の効果として、スライドファスナーの裏面部に重合縫着した下前立ての縁部に、ファスナーのスライダー噛み合せ部の内幅より、やや大きめな外径寸法を有する筒状の紐挿入部を形成し、且つ、該紐挿入部に凧紐等の噛み込み防止部材を縫着して設け、ファスナー開閉時に、スライダーが下前立て部に噛み込まないようにして設けた事で、ファスナーの開閉が円滑に出来、且つ、構造が簡単で材料も低コストで経済的である等、極めて有益なる効果を奏するものである。
【考案を実施するための最良の形態】
【０００７】
この考案の最良の形態として、下前立て縁部に設ける噛み込み防止部材は、スライダー噛み合せ部の内幅より、やや大きめの外径寸法を有し、且つ、適度な硬さと柔軟性を有し、安全性・作業性・経済性に優れた最適な物（材質）を選定する事が重要である。
【実施例１】
【０００８】
そこで、この考案の一実施例を図１〜図２に基づいて詳述すると、ジャンパーやコートやジャケット等の前開き部に使用するフロントスライドファスナー付衣服において、該衣服はスライドファスナー（Ｆ）の裏面部に重合縫着した下前立て（Ｃａ）の縁部に、ファスナー（Ｆ）のスライダー（Ｆａ）噛み合せ部の内幅よりやや大きめな外径寸法を有する筒状の紐挿入部（Ｃｂ）を形成し、且つ、該紐挿入部（Ｃｂ）に凧紐等の噛み込み防止部材（１）を縫着して設け、ファスナー開閉時にスライダーが下前立て部に噛み込まないようにして設けた事を特徴とするファスナー噛み込み防止型衣服から構成される。
【０００９】
次に、本考案と従来品の相違点について説明すると、図３に示す様に、従来品はファスナー（Ｆ）のスライダー（Ｆａ）部の内幅と下前立て（Ｃａ’）の生地厚がほぼ同一寸法であった為、スライダー（Ｆａ）の口部に下前立て（Ｃａ’）部が噛み込んで、生地を破損し易かった。しかし、本考案は下前立ての縁部にスライダー（Ｆａ）内幅よりやや大きめな外径寸法を有する筒状の紐挿入部（Ｃｂ）を形成し、凧紐等の噛み込み防止部材（１）を縫着して設けた事で、下前立て（Ｃａ）部が、スライダー（Ｆａ）に噛み込まない様にしたものである。
【００１０】
又、図４は従来品の衣服のファスナー開時の正面図である。
【産業上の利用可能性】
【００１１】
この考案のファスナー噛み込み防止型衣服は、ファスナーのスライダー部が下前立て部に噛み込まずに円滑に開閉可能にし、且つ、見栄えが良く、丈夫で経済的である為、多くの衣料品関係及び縫製業市場に寄与する点で産業上の利用可能性を有する。
【図面の簡単な説明】
【００１２】
【図１】この考案の一実施例を示し、（Ａ）は衣服のファスナー開時の正面図で、（Ｂ）は図１（Ａ）のａ部拡大詳細図である。
【図２】この考案の一実施例を示し、衣服のファスナー閉時の正面図である。
【図３】この考案の一実施例と従来例を示し、下前立て部とスライダー部の断面対比図である。
【図４】この考案の従来例を示し、衣服のファスナー開時の正面図である。
【符号の説明】
【００１３】
１  噛み込み防止部材
Ｃ  衣服
Ｃ’  衣服
Ｃａ  下前立て
Ｃａ’  下前立て
Ｃｂ  紐挿入部
Ｆ  スライドファスナー
Ｆａ  スライダー
【図１】
0003131703.tif 000003
【図２】
0003131703.tif 000004
【図３】
0003131703.tif 000005
【図４】
0003131703.tif 000006
(57)【要約】      （修正有）【課題】コンクリート型枠作業時に２名で行っていたセパレーターの取り付けを１人でも出来る様にする。【解決手段】従来のピーコンのボルト部分の突起を作る事によってセパレーターがコンパネに固定し１人でフォーム体を取りつける事が出来る様になった。【選択図】図３
0003131709.tif 000002
【実用新案登録請求の範囲】
【請求項１】
コンクリート型枠に使用するピーコンのボルト側の突起部分
【考案の詳細な説明】
〔考案者の分野〕コンクリート型枠の作業時に２名でないと、セパレーターを取り付ける事が出来ないので、それを１名で出来るようにした。
【背景技術】従来のピーコンだとフォーム体を取り付ける時に一緒にセパレーターが回ってしまい不都合だったのでコンパネに差し込んでるピーコンを固定させる必要があった。
【考案の開示】
【考案が解決しようとする課題】
【０００１】高さがあるコンクリート方枠作業時にセパレーターを取り付ける従来のピーコンでは１名がセパレーターを押さえ、もう１名が型枠の外側でフォーム体を取りつけるという作業をしていた。これでは能率が悪いという問題点があった。【０００２】必ず１名がセパレーターを押さえるという行程をなくすためコンパネに空いた穴に固定させるため従来のピーコンのネジ（ボルト）部分の下部に突起をつける事にした。
【考案の効果】
【０００３】突起部分を付ける事によってコンパネの穴に固定されるので１人でも容易に作業が出来る様になった。
【図面の簡単な説明】コンパネの穴に差し込む突起部分は型枠をはずす時に抵抗を少なくするために斜めにした。【図１】ピーコンの平面図
【図２】ピーコンの立面図
【図３】ピーコンの見取図
【図１】
0003131709.tif 000003
【図２】
0003131709.tif 000004
【図３】
0003131709.tif 000005
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
・コンクリート打設用型枠に使用するピーコンのコンパネの穴に接する部分（ボルトの付け根）につけた上底５ｍｍ下底８ｍｍ高さ１．５ｍｍの台形で厚さ２．０ｍｍの４個の金属の突起
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
コンクリート打設用型枠に使用するピーコンのコンパネの穴に接する部分につけた上底５ｍｍ下底８ｍｍ高さ１．５ｍｍの台形で厚さ２．０ｍｍの４個の金属の突起
(57)【要約】【課題】  長続きしない家計簿の記帳を、楽しく続ける家計簿を提供する。【解決手段】  前年度の毎月の実績表を見ながら当年当月比較しながら、今月はいくら節約できたか、また超過したか。また、毎月当月の予算を立てて、計画的に支出をすることにより、計画家計を実践する達成感を感じながら記帳することにより、楽しく続けられる。【選択図】図１
0003131730.tif 000002
【実用新案登録請求の範囲】
【請求項１】
前年度の月別支出欄を設けたことを特徴とする家計簿。
【請求項２】
月ごとに、支出の予定（予算）表を設けることを特徴とする請求項１に記載の家計簿。
【請求項３】
月ごとに領収証等を貼付できる添付ページを設けることを特徴とする請求項１，２に記載の家計簿。
【請求項４】
月ごとに月間予定表のページを設けることを特徴とする請求項１〜３に記載の家計簿。
【請求項５】
当年の毎月の実績表を設けることを特徴とする請求項１〜４に記載の家計簿。
【考案の詳細な説明】
【技術分野】
【０００１】  本考案は、家計簿を日々つけるのが苦手とする方々にも、楽しく続けられる簡易家計簿に関する。
【背景技術】
【０００２】  従来、家計簿には日々の金銭の出入りを集計するために、数多くの支出項目を設けたものを基本としたものが一般的であるが、さらに家計簿を日々つけるのが苦手とする方にも、興味や関心をもって集計や収支管理などしやすいように工夫された次のようなものも提供されている。
日々、家計簿をつけるに当たってとかく面倒な支出項目への記帳や集計作業を少しでも簡単にできるようにしたものとして、見開きページの一面には一般的な支出項目欄を設けたものとし、他方ページ面には、領収書を貼り付けられる粘着部を設けて貼付したり、保存できる収納袋など設けたタイプの家計簿などが提供され、日々その都度記帳する作業を忘れても、領収書をとりあえず保存することで、後からでも記帳や集計がしやすいように工夫された家計簿など様々なタイプのものがある。
【考案の開示】
【考案が解決しようとしている課題】
【０００３】  このように、とかく面倒なことが多いと思う家計簿をつけるのを、少しでも関心をもって簡単に扱えるよう工夫された家計簿が提供されて、それなりの効用や利便性をもつものとして使われている。しかし、とりわけ家計簿を日々つけるのを苦手とする若い主婦の方々には、始めは関心をもって領収書を保存することを続けることが容易にできても、それを整理した上で支出項目別に日々記入する作業を継続することは、やはり面倒、苦手などとして次第に領収書の保存も記帳することにも関心が薄れて使わなくなることが多く見られる。
そこで、本考案の家計簿は、前年度と今年度の支出額を比較したり、月初めに立てた予算に対しての比較など、その達成感を感じつつ、楽しく興味を持ちながら記帳できることを目的とした家計簿を課題とした。
【課題を解決するための手段】
【０００４】  そのために、本家計簿には、家計簿の前ページ部に見開きで、前年度の月別支出欄を設けたことを特徴とする。
【０００５】  また、月ごとに、支出の予定（予算）表を設けることを特徴とする。
【０００６】  また、月ごとに領収証等を貼付できる添付ページを設けることを特徴とする。
【０００７】  また、月ごとに月間予定表のページを設けることを特徴とする。
【０００８】  また、ページの後部ページには、当年の毎月の実績表を設けることを特徴とする。
【考案の効果】
【０００９】  前年度の実績表を前ページ部に見開きで設けることによって、前年同月と比較することによって、節約生計ができる。
【００１０】  また、月ごとに領収証等を貼付するページを設けることによって、当月の予定が一目瞭然である。
【００１１】  また、毎月、当月の支出の予定（予算）表を設けることにより、その月の予算がわかり、無駄な支出がなくなる。
【考案を実施するための最良の形態】
【００１２】  本考案の家計簿は、表紙１と表紙２があり、表紙１の次ぎのページを１ページとし、図１のこの家計簿の記帳方法を印刷する。【００１３】  １ページの裏に図２を印刷する。【００１４】  次に、３ページに図３を印刷し、その裏の４ページに図４を印刷する。【００１５】  次に、５ページに図５を印刷し、その裏の６ページに図６を印刷する。【００１６】  次に、７ページに図７を印刷する。【００１７】次に、７ページの裏に再度図４を印刷し、その後は、［００１４］［００１５］［００１６］を繰り返し、全部で１２ヶ月分を印刷し、最後に図８、図９を印刷し、全部を綴じて一冊の家計簿を完成する。
【図面の簡単な説明】
【００１８】
【図１】１ページ（この家計簿の記帳方法）
【図２】２ページ（昨年度の実績表１〜６月）
【図３】３ページ（昨年度の実績表７〜１２月）
【図４】４、８、１２、１６、２０、２４、２８、３２、３６、４０、４４、４８ページ（月間予定表）
【図５】５、９、１３、１７、２１、２５、２９、３３、３７、４１、４５、４９ページ
【図６】６、１０、１４、１８、２２、２６、３０、３４、３８、４２、４６５０ページ
【図７】７、１１、１５、１９、２３、２７、３１、３５、３９、４３、４７５１ページ（領収証等貼付）
【図８】５２ページ（今年度の実績表１〜６月）
【図９】５３ページ（今年度の実績表１〜６月）
【図１０】家計簿の表紙
【符号の説明】
【００１９】  １．おもて表紙
２．うら表紙
【図１】
0003131730.tif 000003
【図２】
0003131730.tif 000004
【図３】
0003131730.tif 000005
【図４】
0003131730.tif 000006
【図５】
0003131730.tif 000007
【図６】
0003131730.tif 000008
【図７】
0003131730.tif 000009
【図８】
0003131730.tif 000010
【図９】
0003131730.tif 000011
【図１０】
0003131730.tif 000012
【手続補正書】
【提出日】平成19年2月13日(2007.2.13)
【手続補正１】
【補正対象書類名】実用新案登録請求の範囲
【補正対象項目名】全文
【補正方法】変更
【補正の内容】
【実用新案登録請求の範囲】
【請求項１】
１頁に、この家計簿の記帳方法を印刷し、その裏の２頁および３頁の左側と右側の見開きに前年度の毎月の収入及び支出欄を設けた家計簿であって、３頁の裏面４頁には、毎月の月間行事予定費欄を設け、その相対する５頁には、毎月の予算表、及び収入欄、また特別な収入欄当座の収入欄を設け、その下段には、支出欄を項目ごとに配した経費欄を設け、６頁の左側には、前頁の続きの経費欄を配し、右欄には、当月の毎日の支出及び当日の現金有高及び累計を記入する集計表を設け、７頁には、当月支払いの領収証又はレシートなどを添付する頁を設けることで構成したことを特徴とする家計簿。
【請求項２】
さらに、請求項１に記載の構成を１２ヶ月分と、最終の見開き部には、当年度の年間収支決算書欄今年度の実績欄を設け、前記家計簿の各月の収支出を項目ごとに転記するようにした請求項１の家計簿。
(57)【要約】      （修正有）【課題】排泄物に伴って発生する臭気の脱臭能力を有する脱臭装置付き便座器を提供する。【解決手段】便器本体Ａに中蓋となっている吸引パイプＤとの間に、ホースに接続する接続口３を有し、脱臭装置Ｂの接続口３に接続されており、脱臭装置は便器本体内部と連通している。連通路から吸気口２から吸引された臭気及び室内空気の経路中に、吸気側から順にエアーポンプに吸引され、オゾン発生要素で臭気を分解し、活性炭脱臭要素９で脱臭する。オゾン発生要素はトランスから高電圧を印加されてオゾンを発生する。【選択図】図２
0003131722.tif 000002
【実用新案登録請求の範囲】
【請求項１】
既存の組立ポータブルトイレ中蓋にプラチックパイプにラバーパイプのカバーをかぶせ、パイプには無数の穴を全体に空ける事に依り便器本体内部に発生する臭いを、パイプの通気路を経て連通し消臭器本体に配設したオゾン発生要素、活性炭脱臭要素にエアーポンプに依る吸引、排気で空気を循環させる、脱臭装置を備えてなる脱臭便座器。
【請求項２】
脱臭装置には、毎分６リットルの吸引力のあるエアーポンプを使用し、吸引排気を同時に行なう装置を備え、オゾン発生量は１００ｍｇ／Ｈ（ＭＡＸ一定条件以下）
構成部品は、１、オゾナイザー（ＺＣ−６０−ＭＭ）  ２、高電圧パルス電源（ＨＴＶＧ−１）  ３、高圧ワイヤー  ４、シリコン熱収縮チューブ  ５、その他
重量は  １、２５０ｇ  耐気圧は  ２、０．２Ｍｐａ（ＭＡＸ）  ３、石英ガラス管を使用
基剤は  １、活性炭／０．６３ｇセル
【考案の詳細な説明】
【技術分野】
【０００１】  本考案は主に病院、在宅において使用している、ポータブルトイレの中蓋のみを、取り替える事に依り本考案の効果をもたらします。
【背景技術】
【０００２】  ポータブルトイレは、一般に病人や療養中の患者が普通の排泄作業が出来ない人が使用する便器で、排泄物に伴って発生する臭気の脱臭能力を有する脱臭装置付き便座器。
【考案の開示】
【考案が解決しようとする課題】  従来使用されている便器は本体に組み込まれた便器であって本体内部にある吸気口から臭いを吸い込みますが、今使用している普通の便器にこの機能は使えません。
【課題を解決するための手段】  普通の今使用している便器の中蓋を取り替える事により排泄物から発生する臭気を処理し悪臭成分を根本的に脱臭することが出来る脱臭装置付き便座器を提供しようとするものである。
【考案の効果】  中蓋に取付ているパイプから吸引された悪臭はエアーポンプに依りオゾン発生要素、から脱臭し更に、活性炭で臭いを分解して消滅する。
【実施例】  以下、図面を参照して本発明の実施例について説明する。
実施例１
第１〜第４図は外付型の脱臭装置付き便座器の１例を表わしている。
図中（Ａ）は便器本体である。この便器本体（Ａ）に中蓋となっている吸引パイプ（Ｄ）との間に、ホース（５）に接続する接続口（３）を有し、脱臭装置（Ｂ）の接続口（３）に接続されており、脱臭装置は便器本体内部と連通している。
図中（Ｂ）は脱臭装置付き便座器である。
連通路（１）から級気口（２）から吸引された臭気及び室内空気の経路中に、吸気側から順にエアーポンプ（６）に吸引され、オゾン発性要素で臭気を分解し、活性炭脱臭要素（９）で脱臭する。オゾン発生要素（７）はトランス（図示せず）から高電圧を印加されてオゾンを発性する。
【図１】
0003131722.tif 000003
【図２】
0003131722.tif 000004
【図３】
0003131722.tif 000005
【図４】
0003131722.tif 000006
【手続補正書】
【提出日】平成19年2月3日(2007.2.3)
【手続補正１】
【補正対象書類名】実用新案登録請求の範囲
【補正対象項目名】全文
【補正方法】変更
【補正の内容】
【実用新案登録請求の範囲】
【請求項１】
既存の組立ポータブルトイレ中蓋にプラチックパイプにラバーパイプのカバーをかぶせ、パイプには無数の穴を全体に空ける事に依り便器本体内部に発生する臭いを、パイプの通気路を経て連通し消臭器本体に配設したオゾン発生要素、活性炭脱臭要素にエアーポンプに依る吸引、排気で空気を循環させる、脱臭装置を備えてなる脱臭便座器。
【手続補正２】
【補正対象書類名】明細書
【補正対象項目名】図面の簡単な説明
【補正方法】追加
【補正の内容】
【図面の簡単な説明】
【図１】は、本考案の脱臭便器の部分正面図である。
【図２】は、本考案の脱臭便器の後方斜視図である。
【図３】は、本考案の脱臭装置の縦断面図である。
【図４】は、本考案の脱臭便器の前方斜視図である。
【符号の説明】
Ａ、便器本体
Ｂ、脱臭装置
Ｃ、容器
Ｄ、吸引パイプ
１、連通路
２、吸引口
３、接続口
４、便座
５、ホース
６、エアーポンプ
７、オゾン発性要素
８、活性炭脱臭要素
９、排気口
【手続補正３】
【補正対象書類名】図面
【補正対象項目名】図１
【補正方法】変更
【補正の内容】
【図１】
0003131722.tif 000007
【手続補正４】
【補正対象書類名】図面
【補正対象項目名】図２
【補正方法】変更
【補正の内容】
【図２】
0003131722.tif 000008
(57)【要約】      （修正有）【課題】ポストカードを，国際間で利用するため，縦位置でも横位置でも利用できるとともに，宛名等を，縦書きでも横書きでも，曲がらず真っ直ぐに書けるよう，格子状の線分によるガイドラインを印刷した方眼紙式ポストカードを提供する。【解決手段】ポストカードの表地の上部及び右側の２箇所中央部にポストカード名を印刷する。ポストカードの表地のポストカード名を除いた表地全体について，おおよそ５ｍｍ幅の格子状の線分を薄い色で印刷する。【選択図】図１
0003131726.tif 000002
【実用新案登録請求の範囲】
【請求項１】
国際的な利用を可能にするため，縦位置でも横位置でも使用できるようにしたポストカードで，
（１）縦位置でも横位置でも使用できるようにするため，上部及び右側の２箇所中央部にポストカード名（Ｐｏｓｔ  Ｃａｒｄ又は郵便はがき）を印刷する。
（２）宛名等を記入する際，縦書きでも横書きでも，曲がらずに真っ直ぐ書けるようにするため格子状の線分によるガイドラインを形成する。
このため，ポストカード名を印刷した部分を除き，表地全体について，おおよそ５ｍｍ幅の格子状の線分を印刷する。
（３）（２）の格子状の線分は，切手の貼付位置を表示するため，右側上部の１枡分は，線分を引かず，凹んだ空白部分を形成する。
（４）（２）の格子状の線分は，ガイドラインとしての目的を達成できる範囲で，できる限り薄い色で印刷する。
以上の構成による，縦位置でも横位置でも使用でき，表地に，縦書きでも横書きでも，曲がらずに真っ直ぐ書けるように格子状の線分によるガイドラインを設けたことを特徴とするインターナショナルポストカード。
【考案の詳細な説明】
【０００１】  この考案は，ポストカードを縦位置でも横位置でも使用できるとともに，表地に宛名や文章を書く際，縦書きでも横書きでも曲がらずに真っ直ぐ書けるようにするため，予め，ポストカードの上部及び右側の２箇所中央部にポストカード名（Ｐｏｓｔ  Ｃａｒｄ又は郵便はがき）を印刷するとともに，方形の線分を印刷した格子状のガイドラインを設けた，国際的に利用が可能なインターナショナルポストカードに関するものである。
【背景技術】
【０００２】  従来，国際的に利用できるよう縦位置でも横位置でも使用できる形式のポストカードは見当たらず，また，ポストカードの表地は，郵便番号記入欄以外は無地のものが多かった。
【考案が解決しょうとする課題】
【０００３】  これらには，次のような問題点があった。
ポストカードを国際間で利用する際，縦位置でも横位置でも使用できる形式のものがなく，また，表地に，宛名や文章を書く際，曲がらずに真っ直ぐ書くことが難しく，このため，予め鉛筆で線を引き，後でけしごむで消す例も多い。
このため，葉書やポストカードの利用を敬遠しがちだった。
本考案は，以上のような欠点をなくし，ポストカードを利用する際，縦位置でも横位置でも自由に使用できるとともに，予め印刷された格子状の線分のガイドラインに沿って宛名等を書くことにより  縦書きでも横書きでも曲がらずに真っ直ぐ書くことが可能である等，手軽に，快適に使用できる格子状のガイドラインを設けたポストカードに関するものである。
【課題を解決するための手段】
【０００４】（１）ポストカードを縦位置でも横位置でも使用できるようにするため，上部及び右側の２箇所中央部にポストカード名（Ｐｏｓｔ  Ｃａｒｄ又は郵便はがき）を印刷する。
（２）ポストカードの表地全体の記入スペースを方眼式にし，宛名等を記入する際，縦書きでも横書きでも，曲がらずに真っ直ぐ書けるようにするため，格子状のガイドラインを設ける。
このため，ポストカード名を印刷した部分を除き，表地全体について，おおよそ５ｍｍ幅の格子状の線分を印刷する。
（３）（２）の格子状の線分は，切手の貼付位置を表示するため，右側上部１枡分は，線分を引かず，凹んだ空白部分を形成する。
（４）（２）の格子状の線分は，ガイドラインとしての目的を達成でる範囲で，できる限り薄い色で印刷する。
【本考案を実施するための最良の形態】
【０００５】  以下，本考案を実施するための最良の形態について説明する。
（１）ポストカードを利用する際，縦位置でも横位置でも自由に選択する。
（２）ポストカードに宛名や文章を書く場合，予め印刷された格子状のガイドラインに沿って書く。
（３）縦書きの場合は，縦の線分に沿って書き，横書きの場合は，横の線分に沿って書けばよい。
【考案の効果】
【０００６】  ポストカードの利用は，国内に限らず海外との交流も盛んに行われているが，国内用の郵便番号付きのものは，国際間では通用しない。
ポストカード，絵手紙，絵葉書等の普及がめざましい反面，表地が無地のものが多く，宛名等を曲がらず真っ直ぐに書けるものは見当たらない。
本考案のポストカードは，表地に，縦でも横でも利用出来るよう，２箇所にポストカード名（Ｐｏｓｔ  Ｃａｒｄ又は郵便はがき）を印刷するとともに，格子状の線分によるガイドラインを印刷することにより，ポストカードを手軽に快適に使用できるようにしたものである。
本考案の格子状のポストカードは，
（１）縦位置でも横位置でも自由に利用することができる。
（２）ポストカードの表地に格子状のガイドラインを印刷してあることにより，縦書きでも横書きでも曲がらず真っ直ぐに書くことができる。
（３）薄い色で印刷した格子状のガイドラインは，個々の線分ははっきり見えないものの，表地全体としては，線分の色を反映した綺麗な表地が形成され，また，線分の色を変えることにより，違った雰囲気のポストカードとなる。
（４）格子状の線分に変え，線分の交差点を「・」印や「＋」印としてもよい。
（５）表地に留まらず，裏地に格子状のガイドラインを印刷することも可能である。
【図面の簡単な説明】
【０００７】
【図１】  本考案のポストカードの正面図である。
【符号の説明】
【０００８】
【図１】
0003131726.tif 000003
【手続補正書】
【提出日】平成19年2月2日(2007.2.2)
【手続補正１】
【補正対象書類名】実用新案登録請求の範囲
【補正対象項目名】全文
【補正方法】変更
【補正の内容】
【実用新案登録請求の範囲】
【請求項１】
国際的な利用を可能にするため，縦位置でも横位置でも使用できるようにしたポストカ−ドで，
（１）縦位置でも横位置でも使用できるようにするため，上部及び右側の２箇所中央部にポストカ−ド名を印刷する。
（２）宛名等を記入する際，縦書きでも横書きでも，曲がらずに真っ直ぐ書けるようにするため格子状の線分によるガイドラインを形成する。
このため，ポストカ−ド名を印刷した部分を除き，表地全体について，おおよそ５ｍｍ幅の格子状の線分を印刷する。
（３）（２）の格子状の線分は，切手の貼付位置を表示するため，右側上部の１枅分は，線分を引かず，凹んだ空白部分を形成する。
（４）（２）の格子状の線分は，ガイドラインとしての目的を達成できる範囲で，できる限り薄い色で印刷する。
以上の構成による，縦位置でも横位置でも使用でき，表地に，縦書きでも横書きでも，曲がらずに真っ直ぐ書けるように格子状の線分によるガイドラインを設けたことを特徴とするインタ−ナショナルポストカ−ド。
(57)【要約】      （修正有）【課題】無人駐車場で、無断駐車しようとする車を心理的、物理的に防止する。装置も簡単で軽費で実現する。【解決手段】金属又はプラスチックからなる標識器１に台車２を取り付け、駐車場の中（地面又は床）にレール３を敷き、そのレールの上に、台車を付けた標識器１を乗せ、これを前後に走らせる装置で、車の出入り管理も兼ねる。【選択図】図２
0003131728.tif 000002
【実用新案登録請求の範囲】
【請求項１】
金属又はプラスチックからなる標識器に台車を取り付け、駐車場の中（地面又は床）にレールを敷き、レール上を、台車を付けた標識器を走らせる標識器移動装置。
【考案の詳細な説明】
【技術の分野】
【０００１】本考案は、駐車場の中に障害物を置く標識器移動装置に関る。
【背景技術】
【０００２】無人の駐車場で車の出入を管理する方法として、電気制御により駐車場の中に起立する従来の装置は近年知られている。
【考案の開示】
【考案が解決しようとする課題】
【０００３】しかしながら、多大な資本と工事が必要で困難であった。
【課題を解決するための手段】
【０００４】本考案は、金属又はプラスチックの標識器に台車を付け、駐車場の中（地面又は床）にレールを敷き、その上を前後に走らせる。
駐車する時は後方に移動する。
【考案の効果】
【０００５】無人駐車場で、無断駐車しようとする車を心理的、物理的に防止する。
装置も簡単で軽費で実現できる。
【考案を実施するための最良の形態】
【０００６】図２に示すように、金属又はプラスチックの標識器（１）に台車（２）を取り付けた上、駐車場（４）の中（地面又は床）にレール（３）を敷き、その上を前方に走らせる。また、駐車する時は、これを後方に移動する。
無断駐車を心理的、物理的に防止する。
なお、台車は、中央部分のキャスター小（２ｂ）をレール（３）に載せて、そのレール上を前、後に走らせる。
【図面の簡単な説明】
【０００７】
【図１】本考案の台車付標識器の分解図である。
【図２】本考案の台車付標識器の組立（斜視）図である。
【図３】本考案の台車付標識器の底面図である。
【図４】本考案の台車付標識器の側面（左右同じ。）図である。
【符号の説明】
【０００８】１      金属又はプラスチックの標識器
２      台車
但し、下記に示す台（２ａ）の裏面の中央部にキャスターの小（２ｂ）を短形        辺に沿って接着固定し、同裏面の四方の隅の各部分にキャスターの大（２ｃ）各        １個を短形辺に沿って接着固定したもの。
２ａ  台（金属又はプラスチック又は木材で出来た長方形の板）
２ｂ  キャスターの小
２ｃ  キャスターの大
３      レール
４      駐車場
【図１】
0003131728.tif 000003
【図２】
0003131728.tif 000004
【図３】
0003131728.tif 000005
【図４】
0003131728.tif 000006
【手続補正書】
【提出日】平成19年1月31日(2007.1.31)
【手続補正１】
【補正対象書類名】実用新案登録請求の範囲
【補正対象項目名】全文
【補正方法】変更
【補正の内容】
【実用新案登録請求の範囲】
【請求項１】
金属又はプラスチックからなる標識器に台車を取り付け、駐車場の中の地面又は床にレールを敷き、レール上を、台車を付けた標識器を走らせる標識器移動装置
【手続補正２】
【補正対象書類名】図面
【補正対象項目名】図４
【補正方法】変更
【補正の内容】
【図４】
0003131728.tif 000007
(57)【要約】      （修正有）【課題】今まで車のハンドル操作は両手でなくてはハンドルを操作出来なかったのを、片手でも操作出来るようにした新タイプの車のハンドルを提供する。【解決手段】車のハンドルの両手で握るそれぞれの基準の位置に凸部を作り、利き腕の片手で凸部を手の平で押える事で、ハンドルの操作をする事が出来るようにした。【選択図】図１
0003131761.tif 000002
【実用新案登録請求の範囲】
【請求項１】
車のハンドルを片手でも操作出来るよう、両手でハンドルを握る、それぞれの基準の握る位置に、凸部を作り、手先を広げ手の平でその凸部を上から押える圧力により、片手でのハンドル操作を可能にした、その基準の握る位置にハンドル操作をするために作った、ハンドルと一体の凸部。
【考案の詳細な説明】
【技術分野】
【０００１】  本考案は車のハンドルに関する。
【背景技術】
【０００２】  現在の車のハンドルは両手を使い、握り換え握り換えしながら操作をしている。一部のハンドルに回転するツマミ等を付け片手でも操作出来る特種なハンドルもあるが。
【考案の開示】
【考案が解決しようとする課題】
【０００３】  本考案は車のハンドル操作を、片手でも操作出来るようにならないかと考えた。
【課題を解決するための手段】
【０００４】  車のハンドルを片手で操作するために、両手の基準の握る位置に凸部を作り、片手で操作する時は片方の凸部に手先を広げ手の平で凸部を上から押え、その圧力でハンドルを操作する事が出来、その時片方の手はハンドルに添えて居れば良い。
又は片方の手は自由でもある。
【考案の効果】
【０００５】  ハンドル操作で、緊急時以外は、長時間両手でハンドルを握り換え握り換え操作するよりも身体の疲労度が少ない。又直進走行の時も両手で凸部を握ると、手先の重さを支える力が軽減される。又両手で操作する時も２ヶ所の凸部は手の滑り止めにもなる。片手操作をしている時でも即両手操作に切り換えられる。又後を見ながらバックする時も、片手操作は便利である。
【考案を実施するための最良の形態】
【０００６】  本考案に係るハンドルの握り部に作った凸部を利用しての片手操作方法は、ジャンケンのパーの状態で、ハンドルの角度に平行に凸部に手の平をテンビン状態で押えながらハンドルを操作する。
片方の手はハンドルに添えて居れば良い。
【図面の簡単な説明】
【０００７】
【図１】本考案に係るハンドルに作った凸部の位置。
【図２】凸部の断面図でハンドルと一体に作る。
【図３】凸部の横からの図である。
【図４】凸部のハンドルの上からの図である。
【符号の説明】
【０００８】  １  ハンドル
２  ハンドルと一体に作った凸部
【図１】
0003131761.tif 000003
【図２】
0003131761.tif 000004
【図３】
0003131761.tif 000005
【図４】
0003131761.tif 000006
(57)【要約】      （修正有）【課題】クリアホルダーを加工して書類を即時かつ簡便に保存することができるようにした、安価で宣伝効果の高い販売促進商品を提供する。【解決手段】クリアホルダー１の上部に、クリアホルダーが画鋲等４により左右均等に保持されるよう穴２を開け、側面より書類の出し入れができるよう加工する。収集すべき書類３の内容と提供した企業名とを記載した書面をあらかじめ挿入しておく。クリアホルダーの表面に直接印刷してもよい。【選択図】図３
0003131769.tif 000002
【実用新案登録請求の範囲】
【請求項１】
画鋲等により壁面または柱に固定できるよう上部に２穴開け加工したクリアホルダー
【請求項２】
表面に広告等の印刷がされた請求項１のクリアホルダー
【考案の詳細な説明】
【技術分野】
【００１】  本考案は主として、ポリプロピレン製のクリアホルダー（以下、クリアホルダーとする）を加工して書類を即時かつ簡便に保存することができるようにした、安価で宣伝効果の高い販売促進商品に関するものである。
【背景技術】
【００２】  クリアホルダーは丈夫で安価であるため書類の保護や保存に広く利用されているが壁面や柱に画鋲等で固定し、書類の保存の用に供するという利用方法は予定されていない。また、クリアホルダーを日常的に掲示してもらう販売促進商品として開発されたものはない。
【考案の開示】
【考案が解決しようとする課題】
【００３】  確定申告時に必要とされる医療費等の領収書は、家族の分を一年間収集・保存しなければならず、丈夫で簡便に使える書類ホルダーが必要とされているが適当なものがない。また、安価で広告宣伝効果が高く有用な販売促進商品は少ない。
【課題を解決するための手段】
【００４】  クリアホルダーの上部に、クリアホルダーが画鋲等により左右均等に保持されるよう２穴開け、側面より書類の出し入れができるよう加工する。収集すべき書類の内容と提供した企業名とを記載した書面をあらかじめ挿入しておく。クリアホルダーの表面に直接印刷してもよい。
【考案の効果】
【００５】  本考案により、クリアホルダーの利便性がより高まり、書類の散逸による個人の時間と労力が省かれることとなる。また、日常的に使用され、掲示されるため安価で効果的な販売促進商品を提供することができる。
【考案を実施するための最良の形態】
【００６】  確定申告時に必要とされる医療費等の領収書などは、家族の分を１年間収集・保存しなければならない。そこで、本考案のクリアホルダーを日常目立つところに掲示し、家族各人が領収書の受領のつど側面より差し入れ保存する。画鋲等についてフック付きのものを用いるならば、カギの管理も同時に行うことができ、本考案の趣旨がより高まる。
【図面の簡単な説明】
【００７】
【図１】本考案の斜視図
【図２】本考案の正面図
【図３】本考案の実施例を示す斜視図
【図４】本考案の請求項２の実施例を示す斜視図
【符号の説明】
【００８】１  クリアホルダー
２  パンチ等で開けた穴
３  差し込む紙
４  画鋲等
【図１】
0003131769.tif 000003
【図２】
0003131769.tif 000004
【図３】
0003131769.tif 000005
【図４】
0003131769.tif 000006
(57)【要約】【課題】  洗濯物の乾燥を早める方法として蒸発面積を増す方法を選んだ、洗濯物の内部に隙間を保ち風が通る様にし、内外両面から乾燥させる。【解決手段】  折り曲げ形成した同形のハンガ−二個を、山折り側同士に組んだ組ハンガ−を使用することにより洗濯物内部の広がりが保たれ風が通り、内部面からも蒸発が起き、乾きが速くなる。【選択図】図２
0003131767.tif 000002
【実用新案登録請求の範囲】
【請求項１】
折り曲げ形成した同型のハンガ−二個を、フック部を交差させ、山折れ側同士に２個１組に組んで掛け、洗濯物内部の広がりを保持出来る様にしたことを特徴とする両面乾燥用組ハンガ−。
【考案の詳細な説明】
【技術分野】
【０００１】  本考案は、干した衣類の内部に隙間を保持する、洗濯用ハンガ−に関するもの。
【背景技術】
【０００２】  干し場に於いて、ハンガ−に吊り下げた直後の洗濯物は、内部面の大部分が密閉状態にあり、乾燥は、外表面からの蒸発が主である。
【考案の開示】
【考案が解決しようとする課題】
【０００３】  干し場に吊り下げた洗濯物を更に乾燥を早めるには、洗濯物の内部を広げ内面からも蒸発させる必要がある。
【課題を解決するための手段】
【０００４】  吊りさげた洗濯物の内部面が離れるようにする為、ハンガ−１の、首３の部分で、適度に曲げ形成したハンガ−１を山折り側同士、すなわち背中合せに二個一組の組ハンガ−にして使用することで、洗濯物の内部を広げ隙間を保つようにした。
【考案の効果】
【０００５】  この考案の組ハンガ−に洗濯物を掛けることにより内部に隙間が保たれ、衿の部分と、裾の部分が、風の出入り口となり、内部面からも蒸発が起こり乾きが速くなる。
【考案を実施するための最良の形態】
【０００６】吊下棒７に掛けた組ハンガ−は洗濯物の重みでフック部２が、座面４を支点に互いに広がるため、フック部２は、交差に掛け広がるのを止める、また、座面４に突起５と穴６を設け、座面を合わせ、突起５と穴６を嵌め合うことにより組ハンガ−は安定する。
【実施例】
【０００７】  本考案のハンガ−１は、ポリプロピレン等適宜素材で形成し二個一組で使用が最適であるが、一個単体でも従来どおりの使用が出来る。
【図面の簡単な説明】
【０００８】
【図１】  正面図  山折れ側
【図２】  側面図  組ハンガ−
【符号の説明】
１    ハンガ−本体
２    フック部
３    首部
４    座面
５    突起
６    穴
７    吊下棒
【図１】
0003131767.tif 000003
【図２】
0003131767.tif 000004
(57)【要約】      （修正有）【課題】携帯しやすい伸縮自在な構造を有するまごの手を提供する。【解決手段】口径の違う２本の鋼管を利用し、爪１及び板バネ４を内蔵した内筒２を外筒３に挿入しスライド機構の伸縮性により長さを短くすることができることで携帯時の収容がしやすくなる。【選択図】図２
0003131766.tif 000002
【実用新案登録請求の範囲】
【請求項１】
２本の口径が違う鋼管を利用し、小口径鋼管を大口径鋼管内に挿入し、互いにスライドさせる構造とし、使用の際は、前記小口径鋼管に内蔵した、板バネによりストッパーが突出し、延伸する構造とすることを特徴とする伸縮式まごの手。
【考案の詳細な説明】
【技術分野】
【０００１】  本考案は、まごの手に関するものである。
【背景技術】
【０００２】  従来のまごの手は、長さの関係上、家庭内に置いてあるのが常で、出先あるいは職場等にあっては他品を代用している。
【考案の開示】
【考案が解決しようとする課題】
【０００３】  まごの手を必要とする時は、不定的なので身近に保持ができ尚且つ本来の機能を損なうことなく使用可能状態としたい。
しかし、携帯する場合には短い方が良いが、使用時には長い
方が良く、相反する問題がある。
【課題を解決するための手段】
【０００４】  本考案は、上記問題を解決するために考えられたもので、請求項１に示す考案は、伸縮式まごの手であって、２本の口径が違う鋼管を利用し、小口径鋼管を大口径鋼管内に挿入し、互いにスライドさせる構造とし、使用の際は、前記小口径鋼管に内蔵した、板バネによりストッパーが突出し、延伸することを特徴としている。
【考案の効果】
【０００５】  上述する様に、本考案の伸縮式まごの手を使用しない時には、伸縮機構により全長を縮小できるので携帯が可能となり、カバン・バックあるいは、上着のポケットに収容して、持ち運びができる様になり、必要時の使用が可能となる。
【考案を実施するための最良の形態】
【０００６】  以下、本考案について図面を参照して詳細に説明する。
図１は、伸縮式まごの手の収容時の形状を示し、内筒２が外
筒３の内側に収容されて全長が縮小し携帯する時の姿である。
使用時には、図２の様に内筒２に加工した、スライド溝５が外筒３に設けた、スライドガイド６を通過し、内筒２に内蔵の板バネ４が飛び出して、ストッパーの機能を果たすまで内筒２を延伸させた形状にして使用する。
図３は、内筒２に内蔵した板バネの取り付け状態を示す。
【図面の簡単な説明】
【０００７】
【図１】  伸縮式まごの手の収容時における正面図である。
【図２】  伸縮式まごの手の使用時における正面図である。
【図３】  伸縮式まごの手の使用時における半断面図である。
【符号の説明】
【０００８】  １            爪
２            内筒
３            外筒
４            板バネ
５            スライド溝
６            スライドガイド
【図１】
0003131766.tif 000003
【図２】
0003131766.tif 000004
【図３】
0003131766.tif 000005
(57)【要約】      （修正有）【課題】デジタル画像を直接シャモジに印刷しておみやげ品として提供する。【解決手段】シャモジの厚さ・大きさに対応出来るプリンターを使用する事とデジタル画像は加工ソフトを使って形と装飾性を施し、画質はシャモジの印刷面の加工処理を行なう事で美しい印刷が出来、おみやげ品として提供出来る。【選択図】図１
0003131768.tif 000002
【実用新案登録請求の範囲】
【請求項１】
木製のシャモジの掬い面に、デジタル画像データを印刷した画像印刷物又は写真のうちの少なくとも１つを直接に印刷したことを特徴とするシャモジ。
【請求項２】
請求項１記載のシャモジにおいて、印刷面に変色加工を施してなるシャモジ。
【請求項３】
請求項１又は請求項２記載のシャモジにおいて、印刷画像や写真の形に変化を付けたシャモジ。
【請求項４】
請求項１〜３記載のシャモジにおいて、印刷画像や写真の周辺に装飾を施したシャモジ。
【請求項５】
請求項１〜４記載のシャモジにおいて、木製シャモジの外形に変化付けたシャモジ。
【考案の詳細な説明】
【技術分野】
【０００１】本考案は、木製のシャモジに係わり、詳しくは、デジタル画像をシャモジの掬い面に直接的に印刷して装飾性を高めたシャモジに関する。
【背景技術】
【０００２】従来、観光地等で売られている木製のシャモジは素地や化学塗料を塗ったものか、シルクスクリーン印刷で文字や社景を印刷したのが大半であり、印刷画像や写真を装飾したオリジナル性の高い商品がない。
【考案の開示】
【考案が解決しようとする課題】
【０００３】しかしながら、上記のような木製シャモジにあっては、以下のような問題点があった。
（１）  木製のシャモジで素地または化学塗装をしたものは、一般の店で売っているものと変わりなくおみやげ品として魅力がない。
（２）  木製シャモジにシルクスクリーン印刷しているものは、オリジナリティに乏しく観光客が買いたいと思えるのもではない。
（３）  木製シャモジに彫りを施したものは芸術性はあるが、価格が高価で観光客が簡単に買えるようなものではない。【０００４】つまり、従来のどのシャモジも観光客の思い出を十分に満足させることは出来ず、観光客にアピール出来る点において装飾性や価格はいまいち十分ではなく、観光客が直ちに買いたいと思えるものではなかった。
そこで本考案は、観光客の好みのデジタル画像を直接シャモジの掬い面に配置し、かつ装飾加工を加えることで思い出にもなり、楽しめるみやげ品を提供することを目的とする。
【課題を解決するための手段】
【０００５】前述の課題を解決するための本考案にかかるシャモジの構成は、木製のシャモジの掬い面に、デジタル画像データーを印刷した画像印刷物又は写真のうちの少なくとも１つが他の装飾物と調和するように配置した点に存するものである。【０００６】また、本考案にかかるシャモジの構成は、印刷面に変色加工を施した点に存するものである。【０００７】デジタル画像データーをシャモジに印刷した画像印刷物又は写真の形を、四角以外に丸・楕円・ひし形・ハート・もみじ等の形に変形させて要望に応えるのでもある。【０００８】デジタル画像データーをシャモジに印刷した画像印刷物又は写真の周辺に、額縁（フレーム）に画像を作成して張り付ける。その額縁の画像は桜やもみじ等の季節性に富んだものや社景（鳥居・神社・みせん・五重塔）、鹿、舞楽面、名所名、言葉等を調和するように配置して装飾性を高めたものである。【０００９】デジタル画像データーを印刷するシャモジの形を伝統工芸品の形以外にびわ・だるま・もみじ・羽子板等の形に変形してみやげ品の種類を多くして客の要望に応えるものである。
【考案を実施するための最良の形態】
【００１０】以下、本考案によるシャモジに印刷実施の形態について、（図３）で説明する。
デジタルカメラや携帯電話のカメラで取ったデジタル画像データーをシャモジの掬い面にプリンターで直接カラー印刷するものである（図１）。それと、掬い面や手持ち部分に記念日やコメント、ロゴ等を（図２）のように印刷する。
【考案の効果】
【００１１】以上説明したように本考案によれば、シャモジにデジタル画像の印刷物を直接印刷することはオリジナルな製品になり、それは世界でただ１つの物となりかつ思い出としても最適な製品にする事が出来る。そして、それは観光客の要望を十分に満足させるものになり、観光客にアピール出来る点においても効果がある。
それを、客が店先で直に買いたいと思えるようなものとなる。
【図面の簡単な説明】
【００１２】
【図１】しゃもじにデジタル画像の印刷を示す図である。
【図２】しゃもじの縁側に装飾を示す図である。
【図３】しゃもじにデジタル画像を印刷する実施例
【符号の説明】
【００１３】１：シャモジ本体
２：掬い面
３：画像
【図１】
0003131768.tif 000003
【図２】
0003131768.tif 000004
【図３】
0003131768.tif 000005